(57)【要約】【課題】  本発明はカード本体の磁気やＩＣチップの個人データを、カード読み取り機での読み取りは完全にできるとともに、表面にプリントされた個人データの、見られたくない部分を隠した状態で使用することができるデータカードおよびデータカード用シールを得るにある。【解決手段】  データが磁気ストライブあるいはＩＣチップで記録され、かつ表面に個人データがプリントされたカード本体と、このカード本体にプリントされた個人データの一部あるいは全部を隠し、かつデータの読み取りができるように該カードの本体の表面に貼着されたデータカード用シールとでデータカードを構成している。【選択図】  図３
2011016259.tif 000002
【特許請求の範囲】
【請求項１】
データが磁気ストライブあるいはＩＣチップで記録され、かつ表面に個人データがプリントされたカード本体と、このカード本体にプリントされた個人データの一部あるいは全部を隠し、かつデータの読み取りができるように該カードの本体の表面に貼着されたデータカード用シールとからなることを特徴とするデータカード。
【請求項２】
カード本体は磁気カードやＩＣカードで、プリントされる個人データは氏名、年齢、住所であることを特徴とする請求項１記載のデータカード。
【請求項３】
データカード用シールはプリントされた個人データを隠す隠し部と、コマーシャルやデザイン模様の記載部とで構成されていることを特徴とする請求項１記載のデータカード。
【請求項４】
データが磁気ストライブあるいはＩＣチップで記録され、かつ表面に個人データがプリントされたカード本体の表面に貼着できる磁気ストライブあるいはＩＣチップの記録の読み取りが可能な材質のシール本体と、このシール本体にプリントされた前記カード本体の個人データの一部あるいは全部を隠すことができる隠し部およびコマーシャルやデザイン模様の記載部と、前記シール本体の背面に塗布された接着剤層と、この接着剤層を覆う剥離紙とからなることを特徴とするデータカード用シール。
【発明の詳細な説明】
【技術分野】
【０００１】
本発明は磁気カードやＩＣカードを用いた定期券、住民基本台帳カードやお店の会員カードとして使用されるデータカードおよびデータカード用シールに関する。
【背景技術】
【０００２】
従来、定期券やお店の会員カードは、磁気やＩＣ チップで個人のデータが記録されているとともに、表面に氏名、年齢、住所等の個人データがプリントされている。
このため、表面にプリントされた個人データが容易に他人に見られ、嫌な思いをしたり、個人データの流出につながるという欠点があった。
【先行技術文献】
【特許文献】
【０００３】
【特許文献１】特開２００５−３５１４９
【特許文献２】特開平２−１３５５９５
【発明の概要】
【発明が解決しようとする課題】
【０００４】
本発明は以上のような従来の欠点に鑑み、カード本体の磁気やＩＣチップの個人データを、カード読み取り機での読み取りは完全にできるとともに、表面にプリントされた個人データの、見られたくない部分を隠した状態で使用することができるデータカードおよびデータカード用シールを提供することを目的としている。
【０００５】
本発明の前記ならびにそのほかの目的と新規な特徴は次の説明を添付図面と照らし合わせて読むと、より完全に明らかになるであろう。
【０００６】
ただし、図面はもっぱら解説のためのものであって、本発明の技術的範囲を限定するものではない。
【課題を解決するための手段】
【０００７】
上記目的を達成するために、本発明はデータが磁気ストライブあるいはＩＣチップで記録され、かつ表面に個人データがプリントされたカード本体と、このカード本体にプリントされた個人データの一部あるいは全部を隠し、かつデータの読み取りができるように該カードの本体の表面に貼着されたデータカード用シールとでデータカードを構成している。
【０００８】
また、本発明はデータが磁気ストライブあるいはＩＣチップで記録され、かつ表面に個人データがプリントされたカード本体の表面に貼着できる磁気ストライブあるいはＩＣチップの記録の読み取りが可能な材質のシール本体と、このシール本体にプリントされた前記カード本体の個人データの一部あるいは全部を隠すことができる隠し部およびコマーシャルやデザイン模様の記載部と、前記シール本体の背面に塗布された接着剤層と、この接着剤層を覆う剥離紙とでデータカード用シールを構成している。
【発明の効果】
【０００９】
以上の説明から明らかなように、本発明にあっては次に列挙する効果が得られる。
（１）データが磁気ストライブあるいはＩＣチップで記録され、かつ表面に個人データがプリントされたカード本体と、このカード本体にプリントされた個人データの一部あるいは全部を隠し、かつデータの読み取りができるように該カードの本体の表面に貼着されたデータカード用シールとで構成されているので、カード本体の表面にプリントされている個人データの一部あるいは全部をシールによって隠すことができる。
したがって、個人データが他人に簡単に見られたり、個人データの流出を効率よく阻止することができる。
（２）前記（１）によって、カード本体の表面にシールを貼着しても磁気あるいはＩＣチップで記録されたデータをデータ読み取り機で読み取ることができる。
したがって、従来のデータが磁気あるいはＩＣチップで記録されたカードと同様に使用することができる。
（３）前記（１）によって、シールによってカード本体の保護を図ることができるとともに、シールにデザイン模様をプリントしたものを用いることにより、好みのデータカードにして使用することができる。
（４）請求項２は前記（１）〜（３）と同様な効果が得られる。
（５）請求項３は前記（１）〜（３）と同様な効果が得られるとともに、公告宣伝としても使用することができる。
（６）請求項４は前記（１）〜（３）、（５）と同様な効果が得られるとともに、販促品として使用することができる。
【図面の簡単な説明】
【００１０】
【図１】本発明を実施するための第１の形態の平面図。
【図２】本発明を実施するための第１の形態の底面図。
【図３】本発明を実施するための第１の形態の分解斜視図。
【図４】本発明を実施するための第１の形態のシールの説明図。
【図５】本発明を実施するための第２の形態の平面図。
【図６】本発明を実施するための第２の形態の底面図。
【図７】本発明を実施するための第２の形態の分解斜視図。
【図８】本発明を実施するための第３の形態の平面図。
【図９】本発明を実施するための第３の形態の底面図。
【図１０】本発明を実施するための第３の形態の分解斜視図。
【図１１】本発明を実施するための第４の形態の平面図。
【図１２】本発明を実施するための第４の形態の底面図。
【図１３】本発明を実施するための第４の形態の分解斜視図。
【発明を実施するための形態】
【００１１】
以下、図面に示す本発明を実施するための形態により、本発明を詳細に説明する。
【００１２】
図１ないし図４に示す本発明を実施するための第１の形態において、１は定期券として使用される本発明のデータカードで、このデータカード1はデータがＩＣチップ２で記録され、かつ表面に乗車区間３、４、期限５、氏名6、年齢７、その他８の個人データ９がプリントされたカード本体１０と、このカード本体１０にプリントされた個人データ９の一部あるいは全部を隠し、本発明の実施の形態では一部を隠すことができる隠し部１１およびデザイン模様１２がプリントされ、かつ前記ＩＣチップ２のデータの読み取りができる材質で形成された該カード本体１０の表面に貼着されたデータカード用シール１３とで構成されている。
【００１３】
前記データカード用シール１３は合成樹脂シートで形成されたシール本体１４と、このシール本体１４にプリントされたカード本体１０の個人データ９の一部を隠すことができる黒塗り状態でプリントされた隠し部１１およびデザイン模様１２の記載部１５と、前記シール本体１４の背面に塗布された接着剤層１６と、この接着剤層１６を覆う剥離紙１７とで構成されている。
【００１４】
上記構成のデータカード１はカード本体１０を入手後、カード本体１０の表面にプリントされた個人データ９の一部をデータカード用シール１３の隠し部１１で隠すようにカード本体１０の表面に剥離紙１７を除去して貼着させる。
【００１５】
この状態で、カード本体１０の表面にプリントされた個人データ９の一部はデータカード用シール１３の隠し部１１で隠されるとともに、従来のカード本体と同様に使用することができる。
【００１６】
したがって、簡単に個人データ９を他人に見られることなく、安全に使用することができる。
【００１７】
また、データカード用シール１３のデザイン模様１２によって、他のデータとの差別化を図り、楽しく使用することができる。
【００１８】
[発明を実施するための異なる形態]
次に、図５ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１９】
図５ないし図７に示す本発明を実施するための第２の形態において、前記本発明を実施するための第１の形態と主に異なる点は、磁気ストライブ１８でデータが記録されたカード本体１０Ａを用いた点で、このようなカード本体１０Ａを用いて構成したデータカード１Ａにしてもお店の会員カード等に使用でき、前記本発明を実施するための第１の形態と同様な作用効果が得られる。
【００２０】
図８ないし図１０に示す本発明を実施するための第３の形態において、前記本発明を実施するための第２の形態と主に異なる点は、シール本体１４の全体を隠し部１１Ａとしたデータカード用シール１３Ａを用いた点で、このようなデータカード用シール１３Ａを用いて構成したデータカード１Ｂにしても、前記本発明を実施するための第２の形態と同様な作用効果が得られるとともに、データカード用シール１３Ａをカード本体１０より剥がさなければ何のカードであるかを他人が知ることができず、より個人情報の保護を図ることができる。
【００２１】
この場合、データカード用シール１３Ａは個人データ９を隠すことは勿論、この隠し部１１を含む他の部分もデザイン模様や、コマーシャルを記載することにより、他人に何のデータカードであるかを知られることがない。
【００２２】
図１１ないし図１３に示す本発明を実施するための第４の形態において、前記本発明を実施するための第１の形態と主に異なる点は、ＩＣチップ２および磁気ストライブ１８でデータが記録された住民基本台帳カードで使用されているカード本体１０Ｂを用いるとともに、カード本体１０Ｂの表面にプリントされている個人データ９である生年月日１９、氏名６、住所２０、連絡先２１および写真２２を隠すことができる隠し部１１Ｂが設けられたデータカード用シール１３Ｂを用いた点で、このようなカード本体１０Ｂとデータカード用シール１３Ｂを用いて構成したデータカード１Ｃにしても、前記本発明を実施するための第１の形態と同様な作用効果が得られる。
【００２３】
なお、シール本体１４の隠し部１１はコマーシャルやデザイン模様でカード本体１０の個人データ９を隠せるようにしたデータカード用シールにしてもよい。
【産業上の利用可能性】
【００２４】
本発明はデータカードの製造およびデータカード用シールを製造する産業で利用される。
【符号の説明】
【００２５】
１、１Ａ、１Ｂ、１Ｃ：データカード、
２：ＩＣチップ、      ３、４：乗車区間、
５：期限、                ６：氏名、
７：年齢、                ８：その他、
９：個人データ、          １０、１０Ａ、１０Ｂ：カード本体、
１１、１１Ａ、１１Ｂ：隠し部、            １２：デザイン模様、
１３、１３Ａ、１３Ｂ：データカード用シール、
１４：シール本体、      １５：記載部、
１６：接着剤層、        １７：剥離紙、
１８：磁気ストライブ、  １９：生年月日、
２０：住所、            ２１：連絡先、
２２：写真。
【図１】
2011016259.tif 000003
【図２】
2011016259.tif 000004
【図３】
2011016259.tif 000005
【図４】
2011016259.tif 000006
【図５】
2011016259.tif 000007
【図６】
2011016259.tif 000008
【図７】
2011016259.tif 000009
【図８】
2011016259.tif 000010
【図９】
2011016259.tif 000011
【図１０】
2011016259.tif 000012
【図１１】
2011016259.tif 000013
【図１２】
2011016259.tif 000014
【図１３】
2011016259.tif 000015